(57)【特許請求の範囲】
【請求項１】
頭部装着のフレームを有するアイウェアに対するコンパクトな再装着自由のディスプレイデバイスであり、以下の構成を備えるデバイス：
前記アイウェアの頭部で受けるフレームのテンプルへ取り外し可能に装着されるように構成された装着機構を有するハウジングアッセンブリー；
前記ハウジングアッセンブリーに内蔵され、データシグナル又はビデオシグナルを受ける回路構成；
前記ハウジングアッセンブリーによりテンプルで支持され、前記ハウジングアッセンブリー内蔵の前記回路構成と連通して、イメージを作る電子イメージングアッセンブリー；
以下を備える光学要素：
アイピースアッセンブリーを使用者の目の前側に支持する透明な取付具であって、前記電子イメージングアッセンブリーからのイメージを受け、該イメージを内部的に中継伝達することができるように前記ハウジングアッセンブリーによりテンプルで支持された取付具；及び
前記透明な取付具により支持されて、前記イメージを使用者の目に入るようにするアイピースアッセンブリー。
【請求項２】
前記アイピースアッセンブリーが前記透明な取付具における前記イメージを使用者の目へ転送するように配置された少なくとも一つの反射面と、使用者の目の前にあるレンズとを備える請求項１のデバイス。
【請求項３】
前記アイピースアッセンブリーは、偏光ビームスプリッターコーティング、四分の一波長板及び焦点鏡を備え、前記イメージングアッセンブリーからの偏光された光が前記ビームスプリッターコーティングと前記四分の一波長板を通過し、前記焦点鏡から反射されて、反対の方向に前記四分の一波長板を通過し、そして、前記ビームスプリッターコーティングから反射されて前記目へ向かうようになる構成の請求項１のデバイス。
【請求項４】
前記透明な取付具は光学リレーを備え、この光学リレー内に光路が形成されている請求項１のデバイス。
【請求項５】
前記透明な取付具が光を反射するための前記光路にそう少なくとも一つの鏡を含んでいる光学リレーを備える請求項１のデバイス。
【請求項６】
前記透明な取付具は、周囲の光を伝えるように配置された第１の面と第２の面とを有する光路を備え、前記第１の面と第２の面とは、さらに光学的に平行になっている請求項１のデバイス。
【請求項７】
前記透明な取付具は、光学リレー（光を中継伝達するもの）であり、この光学リレーは、光学的にクリアーなものであって、少なくとも使用者の主の視界範囲内では、均一の屈折率を有しているものである請求項１のデバイス。
【請求項８】
前記イメージングアッセンブリーと前記光学要素との間にグレーデッドインデックスレンズを備える請求項１のデバイス。
【請求項９】
前記グレーデッドインデックスレンズは、頭部装着のフレームのテンプルにそって配置されている請求項１のデバイス。
【請求項１０】
前記透明な取付具がさらに前記透明な取付具を通過して使用者の目に入ることを防ぐカバーを含む請求項１のデバイス。
【請求項１１】
前記イメージングアッセンブリーは、小形フラットパネルディスプレイを備える請求項１のデバイス。
【請求項１２】
前記ディスプレイは、対角線が２ｃｍ以下のスクリーンを有する請求項１のデバイス。
【請求項１３】
前記イメージングアッセンブリーは、透過型又は反射型小形アクティブマトリックス液晶ディスプレイ、エレクトロルミネッセントディスプレイ又は走査型（スキャンニング）ディスプレイを備える請求項１のデバイス。
【請求項１４】
前記ハウジングアッセンブリーは、開放された側面を有する長く形成された本体と、この開放された側面を覆う少なくとも１枚のカバープレートとを備える請求項１のデバイス。
【請求項１５】
前記装着機構は、前記ハウジングアセンブリーを前記頭部に取り付けるフレームのテンプルにクランプするクランプ機構を備える請求項１のデバイス。
【請求項１６】
前記装着機構は、使用者の目に対する光学要素の高さを調節するように配置されている請求項１のデバイス。
【請求項１７】
前記装着機構は、使用者の目に対し前記光学要素を回転調節できるように配置されている回転機構を備えている請求項１のデバイス。
【請求項１８】
前記ハウジングアッセンブリーが使用者の視界の外に実質的に配置されている請求項１６のデバイス。
【請求項１９】
前記ハウジングアッセンブリーは、本体とスイベル取付具とを含み、前記イメージングアッセンブリーは、前記スイベル取付具により支持されており、前記スイベル取付具は、ピボット装着されていて、前記イメージングアッセンブリーと前記光学要素とを使用者の視界に入らないようにピボット回動する請求項１のデバイス。
【請求項２０】
前記ハウジングアッセンブリーは、主本体、前記イメージングアッセンブリーと前記光学要素とを支持する別のボディ及び前記主本体と別のボディをピボット連結するリンク要素を含み、前記リンク要素のピボット運動により前記光学要素を使用者の主たる視野の外に動かすことができる請求項１のデバイス。
【請求項２１】
前記ハウジングアッセンブリーは、カラーを含み、前記光学要素が前記カラー内で移動可能に支持されて焦点調整を行う請求項１のデバイス。
【請求項２２】
頭部装着のフレームを有するアイウェアに対するコンパクトな再装着自由のディスプレイデバイスであり、以下の構成を備えるデバイス：
前記アイウェアの頭部で受けるフレームへ使用者の主の視野の外側になる位置で取り外し可能に装着されるように構成された装着機構を有するハウジングアッセンブリー；
前記ハウジングアッセンブリーに内蔵され、データシグナル又はビデオシグナルを受ける回路構成；
前記ハウジングアッセンブリーにより、使用者の主の視野の外側に支持され、前記ハウジングアッセンブリーに内蔵の前記回路構成と連通して、イメージを作る電子イメージングアッセンブリー；
以下を備える光学要素：
アイピースアッセンブリーを使用者の目の前側に支持する透明な取付具であって、前記電子イメージングアッセンブリーからのイメージを受け、該イメージを内部的に中継伝達することができるように使用者の主たる視野の外の前記ハウジングアッセンブリーによりその一端で支持された取付具；及び
使用者の主たる視野の中の前記透明な取付具により支持されて、前記イメージを使用者の目に向けるようにするアイピースアッセンブリー。
【請求項２３】
前記アイピースアッセンブリーが前記透明な取付具における前記イメージを使用者の目へ転送するように配置された少なくとも一つの反射面と、使用者の目の前にあるレンズとを備える請求項２２のデバイス。
【請求項２４】
前記アイピースアッセンブリーは、偏光ビームスプリッターコーティング、四分の一波長板及び焦点鏡を備え、前記イメージングアッセンブリーからの偏光された光が前記ビームスプリッターコーティングと前記四分の一波長板を通過し、前記焦点鏡から反射されて、反対の方向に前記四分の一波長板を通過し、そして、前記ビームスプリッターコーティングから反射されて前記目へ向かうようになる構成の請求項２２のデバイス。
【請求項２５】
前記透明な取付具は光学リレーを備え、この光学リレー内に光路が形成されている請求項２２のデバイス。
【請求項２６】
前記透明な取付具は、周囲の光を伝えるように配置された第１の面と第２の面とを有する光路を備え、前記第１の面と第２の面とは、さらに光学的に平行になっている請求項２２のデバイス。
【請求項２７】
前記透明な取付具は、光学リレー（光を中継伝達するもの）であり、この光学リレーは、光学的にクリアーなものであって、少なくとも使用者の主の視界範囲内では、均一の屈折率を有しているものである請求項２２のデバイス。
【請求項２８】
前記透明な取付具は、光反射のために前記光路にそった少なくとも一つの鏡を含む光学リレーを備える請求項２２のデバイス。
【請求項２９】
前記イメージングアッセンブリーは、小形フラットパネルディスプレイを備える請求項２２のデバイス。
【請求項３０】
前記イメージングアッセンブリーは、透過型又は反射型小形アクティブマトリックス液晶ディスプレイ、エレクトロルミネッセントディスプレイ又は走査型（スキャンニング）ディスプレイを備える請求項２２のデバイス。
【請求項３１】
頭部装着のフレームを有するアイウェアに対するコンパクトな再装着自由のディスプレイデバイスであり、以下の構成を備えるデバイス：
前記アイウェアの頭部で受けるフレームへ使用者の主の視野の外側になる位置で取り外し可能に装着されるように構成された装着機構を有するハウジングアッセンブリー；
前記ハウジングアッセンブリーに内蔵され、データシグナル又はビデオシグナルを受ける回路構成；
前記ハウジングアッセンブリーにより、使用者の主の視野の外側に支持され、前記ハウジングアッセンブリーに内蔵の前記回路構成と連通して、イメージを作る電子イメージングアッセンブリー；及び以下を備える光学要素：
アイピースアッセンブリーを使用者の目の前側に支持する透明な取付具であって、前記電子イメージングアッセンブリーからのイメージを受け、該イメージを内部的に中継伝達することができるように使用者の主たる視野の外の前記ハウジングアッセンブリーによりその一端で支持された取付具であり、そして、前記透明な取付具は、均一な屈折率を有し、使用者の主たる視界の中に伸びかつ周囲の光を透過させて使用者の目に入るように配置された光学的に平行な第１と第２の面を含み；及び
前記透明な取付具により支持されて、前記イメージを使用者の目に向けるようにするアイピースアッセンブリー。
【請求項３２】
前記アイピースアッセンブリーが前記透明な取付具における前記イメージを使用者の目へ転送するように配置された少なくとも一つの反射面と、使用者の目の前にあるレンズとを備える請求項３１のデバイス。
【請求項３３】
前記アイピースアッセンブリーは、偏光ビームスプリッターコーティング、四分の一波長板及び焦点鏡を備え、前記イメージングアッセンブリーからの偏光された光が前記ビームスプリッターコーティングと前記四分の一波長板を通過し、前記焦点鏡から反射されて、反対の方向に前記四分の一波長板を通過し、そして、前記ビームスプリッターコーティングから反射されて前記目へ向かうようになる構成の請求項３１のデバイス。
【請求項３４】
前記透明な取付具は光学リレーを備え、この光学リレー内に光路が形成されている請求項３１のデバイス。
【請求項３５】
前記透明な取付具は、光反射のために前記光路にそった少なくとも一つの鏡を含む光学リレーを備える請求項３１のデバイス。
【請求項３６】
前記イメージングアッセンブリーは、小形フラットパネルディスプレイを備える請求項３１のデバイス。
【請求項３７】
前記イメージングアッセンブリーは、透過型又は反射型小形アクティブマトリックス液晶ディスプレイ、エレクトロルミネッセントディスプレイ又は走査型（スキャンニング）ディスプレイを備える請求項３１のデバイス。
【発明の詳細な説明】
【０００１】
［関連の出願についての相互参照事項］
この出願は，３５Ｕ．Ｓ．Ｃ．§１１９（ｅ）に基づき，眼鏡インターフェース・システムと題する１９９７年出願の米国仮出願第６０／０６４，４３０号の利益を要求するもので，該出願の記述をここに参考文献として組み入れるものである。
【０００２】
［アメリカ合衆国援助の研究又は開発に関する声明］
なし。
【０００３】
［発明の背景］
頭部，サングラス，眼鏡などに装着するディスプレイの例は数多くある。例えば，米国特許４，８６７，５５１におけるＰｅｒｅｒａは，眼鏡に装着するディスプレイを記載しているもので，その範囲は，使用者の視野をディスプレイのみに限り，そして，歪みを生じさせる軸がない光学機器を使用するものである。高度の閉塞は，また，Ａｌｂａｃｏｍｐ  Ｃｏｒｐ．から販売提供されている眼鏡装着ディスプレイにも存在している。  Ｌｉｑｕｉｄ  ＩｍａｇｅまたはＶｉｒｔｕａｌ  Ｖｉｓｉｏｎのような他の会社は，ケーブル，グーズネック固定具又は他の機械的支持具により使用者の片方の目又は両目の前に吊り下げるディスプレイを提供している。同様に，Ｒｅｆｌｅｃｔｉｏｎ  Ｔｅｃｈｎｏｌｏｇｙからのディスプレイ類は，アイウェアに装着して，動くファッションとしてのコンピュータディスプレイを提供する。この試みも周囲に対する使用者の視野を極めて制限するものである。
【０００４】
このような従来技術のディスプレイは，使用者の視野の大部分を隠してしまうのみならず，前記ディスプレイは，使用者の顔を隠してしまう。視野を隠してしまうことは，使用者が前記ディスプレイに打ち興じることなく，手許の仕事に自由に集中しなければならない用途においては特に限界がある。
【０００５】
一般的に言って，頭部装着及びヘルメット装着のディスプレイシステムは，対角線寸法が４ｃｍ又は以下の小形ディスプレイがベースになっている。そのような小形のディスプレイを使用するディスプレイシステムは，目の近くのレンズで拡大し，近距離で気楽に見れるようにしている。目の近くに配置しなければならないレンズ及び関連の光学部品類を”アイピース”と言う。最近の従来技術の頭部装着システムもまた同じように目の近くにディスプレイ（例えば，小形液晶ラットパネルディスプレイ）を配置しているもので，前記アイピースの支持取付具及び前記ディスプレイへの電気ケーブルのための導管を必要とする。これらの部品類（ワイヤ類，液晶ディスプレイ，及びその他の必要な回路類）は，目の近くにある不透明なハウジングに納められている。したがって，これらのシステムは，使用者の視野の一部を遮り，使用者の顔を隠してしまう。顔を隠してしまうことは，一般世間の場での前記デバイスの使用を差し控えることになる。
【０００６】
ヘルメット装着のディスプレイも知られており，このディスプレイにおいては，使用者の顔の前に下がっているガラス取付体によりイメージが与えられる。このガラス取付体は，ヘルメットに装着され，目の近くにくるアイピースを内蔵する。ガラス取付体は，アイピースを機械的に支持すると共にヘルメットに装着のディスプレイへイメージを伝える。しかしながら，このシステムの問題は，そのサイズと重量及びヘルメットの形状にある。
【０００７】
［発明の概要］
この発明は，コンパクトで，頭部にかけるフレームをもつアイウェアへ再装着自由に取り付けできるディスプレイを提供する。このディスプレイデバイスは，アイウェアの頭部にかけるフレームの使用者の視界に入らない位置に，再装着自由に装着できるようになっている装着機構を有しているハウジングアッセンブリーを備えている。回路機構を前記ハウジングアッセンブリーに内蔵させ，デー。電子イメージグアッセンブリーを使用者の視界に入らないように前記ハウジングアッセンブリーで支持し，さらに，前記ハウジングアッセンブリー内部の回路に連通させて，イメージを作るようにする。前記ディスプレイデバイスは，また，使用者の目の前側にアイピースアッセンブリーを支持する透明な取付具を備える光学要素を含む。前記の透明な取付具は，前記電子イメージングアッセンブリーからイメージを受けるように配置され，前記イメージを前記アイピースアッセンブリーへ内部的にリレー（中継伝達）する。
【０００８】
この発明は，軽量で，コンパクトで，人間工学的で，再装着できるディスプレイシステムへの新しいアプローチを提供するものであり，該システムは，イメージリレーシステムと，眼鏡又はその他のヘッドギア（頭に着けるもの）に適用できる簡単な装着システムをもつ機械的支持機構とを組み合わせたものである。
このディスプレイデバイスは，従来技術にいくつかの改良を加えたもので，これらの改良には，前記アイピースを目の近くに吊り下げる透明な光学機械的取付具と組み合わせての眼鏡近くに装着される小形フラットパネルディスプレイの使用が含まれる。このディスプレイデバイスは，眼鏡又はその他のヘッドギア（頭に着けるもの）に取り付けることができ，使用者の視界を妨げず，使用者の顔も隠さず，表示されるイメージを殆ど歪みのないイメージとし，さらには，周囲の情況のイメージを殆ど歪みのないイメージとするものである。同様に，他の見る者への使用者の視野も殆ど歪みがないものである。前記ディスプレイデバイスは，透視の様相でイメージを提供でき，その結果，使用者は，前記ディスプレイからのイメージと周囲のイメージとを重ねて見ることができる。
【０００９】
この発明は，”眼鏡及びフェースマスクスに対するイメージ結合システム”と題する１９９７年４月１８日に出願された特許出願第０８／８４４，０９８号に記載されたイメージ結合システムと同じ多数の機能及び利点とを提供するもので，この記載をここに参考として取り入れる。この発明は，処方補正又はその他の前もっての合わせ準備なしに幅広く使用者に適合する不可的な利点を有している。
【００１０】
前記ディスプレイデバイスは，使用者の視野範囲の見やすい位置にイメージを位置させるように調節することができる。このデバイスは，使用者に不便さを与えずに眼鏡に取り付けたり，外したりできる。前記デバイスは，一対の眼鏡フレームのテンプルに取り付けるクランプ機構を含むことができる。置換できる実施例においては，前記デバイスを眼鏡レンズを囲むフレームの下縁又は上縁に挟むことができる。前記デバイスは，また，ヒンジ又はリンク要素を含んでいて，前記デバイスを眼鏡フレームから外さずに，前記光学要素を使用者の視野に入らないように動かすことができる。ディスプレイデバイスを２基使用して，双眼鏡式ディスプレイにもできる。
【００１１】
［発明の詳細な説明］
この発明によるディスプレイデバイスの概略を図１に示す。このディスプレイデバイス１０は，イメージング（イメージ形成）アッセンブリー１２（図４〜図６参照），光学要素１４及び眼鏡フレーム１８に取り付け，取り外し自由に装着されるハウジングアッセンブリー１６を備えている。
【００１２】
図１から図６を参照すると，ハウジングアッセンブリー１６は，ディスプレイデバイス１０へリレーされるデータ又はイメージを受ける回路構成２２を納め，そして，イメージングアッセンブリーを納めるエンクロージャー２０を含んでいるものである。前記回路構成には，前記イメージングアッセンブリーへ接続される集積回路又は別々になっている回路が含まれている。前記イメージングアッセンブリーからの光は，光学要素１４を経て，眼鏡レンズ２４を通り，使用者の目へリレーされる。光学要素１４は，透明な固定具又はリレー２６とアイピースアッセンブリー２８とを備え，このアイピースアッセンブリーは，図１から図３に示された実施例にあっては，鏡３０とレンズ３２とを備えている。ハウジングアッセンブリー１６は，装着具３８とクランプ４０とにより示されるクランプアッセンブリー３６により使用者の眼鏡１８のテンプル３４に取り付けられている。リレー２６とアイピース２８とは，使用者の眼鏡レンズ２４の前側に位置していて，見やすい位置に使用者により配置される目視レンズ３２を介してイメージが見られるようになっている。前記ハウジングアッセンブリーは，使用者の視界から実質的に外れた位置にあり，これは，前記ハウジングアッセンブリーが使用者の主たる視界を遮らないことを意味する。矯正レンズについては，前記主たる視界が前記レンズを介しての視界によって定まる。安全眼鏡のような非矯正レンズについては，前方視線の両側に対し約４５°，前方視線の上下約２０°により決まる領域によって定まる。
【００１３】
イメージングアッセンブリー１２は，透過型又は反射型の小形アクティブマトリックス液晶ディスプレイ（ＡＭＣＬＤ），蛍光発光ディスプレイ又は他の小形のフラットパネルディスプレイを備え，これらディスプレイは，対角線が２ｃｍ以下のスクリーンをもつ。例えば，Ｋｏｐｉｎ  Ｃｙｂｅｒ  ＤｉｓｐｌａｙＰ／Ｎ  ＫＣＤ−ＱＭＯ２−ＡＡが適当なものである。さらに，イメージングコンポーネントは，米国特許第５，７１５，３３７号に記載されているようなスキャンニングディスプレイ，又は，液晶，発光ダイオード，蛍光発光マテリアルズ又は電界放出ディスプレイから作られた種々多数のイメージ形成要素を含むものである。図４から図６においては，バックライト４２をもつＡＭＣＬＤイメージゼネレータ４０が示されている。このバックライトは，発光ダイオード，白熱ランプ，レーザー又はその他の発光デバイスのような種々の照明体から作られる。反射型ＡＭＣＬＤにおいては，バックライトは，公知の方法によりフロントライトとして再配置される。
【００１４】
光学要素１４は，好ましくは，５つの光学面４４，４６，４８，４９，５０（図６）。光学要素１４は，図６Ａに示されているように，断面が方形であることが好ましい。面５２，５３に，オプショナルに，光学特性を付与したり，フロスト処理又は黒く処理したりでき，そして，光学的に平行又は非平行にすることができる。好ましくは，使用者の主たる視界内の光学リレー２６の部分部分は，光学的に澄んだもので，均一な屈折率をもつものである。面４９，５０は，磨かれていて，光学的に平行であって，周りのシーンからの光線を表す光線５４は，伝播角度に殆ど変化なく又は全く変化なしに前記リレーを横切るようになっている。
【００１５】
レンズ４５によってオプショナルに形成される面４４は，前記イメージングアッセンブリーによって作られる光線を受ける。これらの光線は，リレー２６を介して面４６へ伝播されるもので，この面は，図１から図６に示した実施例においては，鏡３０を備えている。リレー２６の複数の側面は，屈折をなくし，したがって，前記イメージにおける変位をなくすために，平行になっていることが好ましい。鏡３０がレンズ３２の面４８へ光を反射する。レンズ３２がイメージングアッセンブリー１２からの光線のヴァージェンス（傾き）をモディファイし，前記イメージが拡大されて見えると共にレンズ位置と焦点距離とに応じて約２５ｃｍから無限大の間の快適な距離をもって形成されるイメージをもつようになる。レンズ４５とレンズ３２の代表的な焦点距離は，２０ｍｍから１００ｍｍの範囲にあるものである。レンズ面４４，４８は，前記イメージングアッセンブリーからの光線のヴァージェンスをモディファイして，２５ｃｍ（接近）から無限大の距離をおいて使用者の前面にヴァーチュアルイメージが作り出される。このヴァーチュアルイメージの距離は，レンズ面４４，４８の焦点距離の選択と，レンズ面４４，４８と前記イメージングアッセンブリーとの間の距離の調節とによって設定される。所望に応じて，鏡を使うその他の折り返しを光路に付加して他の光路へ光をリレーしたり，又は，リレー２６の複数の側面にそって生じる内部反射すべてによって光をリレーすることができる。
【００１６】
この発明のディスプレイデバイスは，広範囲に透明なリレー光学レンズ群を利用する。図１から図３は，特に，この発明の”シー−アラウンド（まわりを見わたす）”の実施例を示す。リレー２６は，イメージをアイピースアッセンブリーへ伝達する機構として，そして，また使用者の視界内に前記アイピースアッセンブリーを支持する構造部材としての両者の機能を果たす。リレー２６は，透明であるから，使用者の視野が閉ざされる領域は，殆どなく，又は，デザインによっては，皆無であり，使用者の顔が掩蔽されない。さもなければ，所望に応じて，前記光学要素をカバーで覆ったり，前記光学要素内にカバーを形成したりして，前記光学要素を通過する周囲の光を遮り，例えば，キラキラしたりするなどの好ましくない反射をなくすことができる。さらに，以下に述べるように，ヒンジを前記ユニット内に設け，使用しないとき，光学要素１４を使用者の視野から外れるようにスイングさせれば，簡単に顔の掩蔽をなくすことができようになる。これによって，この発明は，小形で，クリアーな光学要素１４を提供でき，使用者の視野は，前記ディスプレイが存在していても大きく損なわれることがない。さらに，この発明は，イメージングアッセンブリーが使用者の眼鏡の横側に位置するから，極めて小さなものにすることができ，これによって，使用者の目の前における構造体分を最小なものにする。
【００１７】
図４から図６を参照すると，ハウジングアッセンブリー１６は，好ましくは開放された一方の側面６２を有し，この側面が１枚又は複数のカバープレートによりカバーされている本体６０を備えている。図示の実施例においては，２枚のカバープレート６４，６６が使用されている。これらの部材は，前記本体のキャビティ６８に装着されている。データ又はイメージは，本体の一方の端部にある貫通孔７２を経て本体６０内へ通されたケーブル７０により前記デバイスへリレーされる。このケーブルは，ワイヤ，米国特許第５，７１５，３３７号に記載されているような１本又は複数本の光ファイバー又は光学コーヒレントファイバーバンドル・イメージ導管からなるものである。さもなければ，データ又はイメージは，無線周波数（ＲＦ）伝達により前記デバイスへリレーされる。
【００１８】
カバープレート６４，６６は，前記コンポーネンツを挿入した後にネジ又は接着剤でのような既知の態様で本体６６に取り付けられる。好ましい実施例においては，前記コンポーネンツには，Ｋａｐｔｏｎ又は既知の他のマテリアルで作られたフレキシブルな回路７４が含まれ，この回路には，終端レジスタ７６，７８のような種々のコンポーネンツをインプットケーブル７０へ接続する金属導線又はトレースが設けられている。前記フレキシブルの回路は，また，前記ケーブルをバックライト４２を形成する一つ又はそれ以上のＬＥＤと，前記システムを前記ディスプレイ４０へ接続する第２のフレキシブルな回路８０とに接続する。前記ディスプレイは，前記カバープレートの開口８２を介して見えるようになっている。
【００１９】
図６を参照すると，光学要素１４は，カラー８４の部分でカバープレート６６に取り付けられている。このカラーは，既知の態様で前記カバープレートに取り付けられるか，又は，例えば成型により前記カバープレートと一体的になっているものである。光学要素１４は，摩擦により所定の位置に保持され，使用者が光学要素１４を前記イメージングアッセンブリーに対し単純に動かすか，前記光学要素を前記カラー８４内でスライドさせるかして焦点調節が行われる。当業者が熟知のように，摩擦係止を付加して前記光学要素を前記イメージングアッセンブリーに対して所望の位置にロックすることができる。さもなければ，接着剤，ネジ又は既知のその他の態様で前記光学要素を所定の位置に固定してもよい。この場合，前記カラーにおける光学要素１４の位置をアッセンブリーする間に調節し，前記光学要素の光学面と前記イメージングアッセンブリーとの間の距離を所要の距離にする。代表的には，この距離は，１０から１５ｍｍであるが，前記イメージングアッセンブリーと光学要素１４の入光面４４との間のキャビティに屈折率が合致したエポキシが充填されていれば，前記距離は，ゼロでよい。
【００２０】
クランピングアッセンブリー３６を適当な態様で前記ハウジングアッンブリーへ取り付ける。例えば，取付固定具３８をカバープレート６４に接着又はその他で固定する。クランプ４０を前記ディスプレイが前記テンプルに対し高さを色々変えることができるように配列する。別の例としては，図１５に示すように，ディスク６５０，６６０によって形成された回転ジョイントにより，本体６０を前記取付固定具３８に取り付ける。これらのディスクは，中央ピボットポイントを中心として互いに相対回転するもので，クリックストップ機構を内蔵し，前記デバイスを前記眼鏡のテンプルズに対し種々の所定の角度になるようにするものであり，この点については，当業者のよく知るものである。
【００２１】
置換される実施例においては，光学要素１４は，図７から図８に示されているように，スイベル取付具９０に装着されている。スイベル取付具９０は，ピン９２を中心としてピボット回転し，これによって，他の部分を眼鏡に取り付けた状態で前記デバイスを仕舞ったり．使い勝手をよくするためにコンパクトな形に折り畳むことができるようになる。
【００２２】
他の実施例には，図９に示すように，光学要素１１４を閉塞しない構成のものが含まれる。この構成においては，アイピースアッセンブリー１２８は，偏光ビームスプリッターコーティング１２９，四分の一波長板１３１及び焦点鏡１３０を備えている。前記ディスプレイからの偏光光線は，ビームスプリッターコーティング１２９を通って四分の一波長板１３１から焦点鏡１３０へ達する。反射された光は，再び四分の一波長板１３１を通り，正しい向きの四分の一波長板を２回通過して，最初の偏光に対し直交する方向に回転する偏光になり，したがって，前記コーティング１２９により反射され，光線１３５で示されるように目に入る。光線１３７により示されている前記デバイスを越えて周囲からのビームスプリッター１２９に対し適切な向きの偏光光線は，前記アイピースを通過する。
【００２３】
さらに別の実施例を図１０に示す。イメージは，ハウジング２２６におけるイメージアッセンブリーからオメージリレーによってアイレンズ２３２へリレーされるもので，前記イメージリレーは，グレーデッドインデックスレンズ２１１と鏡２１５，２２８とを備えている。またさもなければ，前記リレーは，コーヒレントファイバー束またはコンベンショナルなレンズリレーを備えるものである。このようなイメージリレーは，研磨されたガラスから作られ，ぼやけたものではなく，周辺がよく見えるようになっている。この実施例は，さらに，使用者の顔の映りがよくなるものである。このデバイスは，以下のように機能する。イメージは，既に述べたようにして前記ディスプレイに付与される。前記イメージは，リレー２１１の焦点面におかれる。グレーデッドインデックスリレーについては，鏡２１３における反射によって達成され，対象イメーイが前記リレーシステムの入口瞳孔にある。前記リレーがイメージを先端部に形成し，このイメージは，鏡２１５によってアイピースアッセンブリー２２８へリレーされる。
【００２４】
図１１は，再装着できるディスプレイデバイスの他の実施例を示す。この実施例においては，光は，ハウジング３６６のイメージングアッセンブリーから光導管３１３にそって反射面３１５へ送られる。この反斜面は，内部全反射により反射する研磨されたガラス面からなるか，又は，前記ディスプレイハウジング内のイメージングアッセンブリーからの光線を光路３１７にそってアイピースアッセンブリー３１９へ反射するようになる金属又は他のコーティングからなる。このタイプの多数の折り返しを組み入れて，前記アイピースとハウジングアッセンブリーとを使い勝手のよい，人間工学的な，又は，審美的な配置にすることができる。例えば，使いやすくするには，前記ハウジングアッセンブリーを前記デバイスを簡単に再装着できる眼鏡フレームの位置に取付すればよい。人間工学上の配慮には，前記デバイスのバランスがとれるようにし，前記ハウジングと前記光導管の一部が前記フレームの上に置かれ，前記デバイスの重心が前記フレームの上にあるようにすることが含まれる。審美的な配慮としては，前記デバイスの面領域が使用者の顔に対して広がりをもたないようにすることが含まれる。
【００２５】
図１２と図１３は，前記イメージングアッセンブリーと光学要素４１４とをハウジングアッセンブリー４１６へ接続するリンク要素４１１をもつディスプレイデバイスの別の実施例を示す。前記ハウジングアッセンブリーは，主体４６０を含み，該主体は，前記ケーブル及び前記フレキシブルの回路並びに電子部品を内蔵している。リンク要素４１１は，主体４６０と別のボディ４６６とを連結し，前記主体内の前記部品を前記イメージングアッセンブリーへ接続するワイヤ類の支持体になる。前記リンク要素によって，図１２に示すように，使用者の眼鏡のテンプルに前記ハウジングを取り付ける装着機構を調節することなしに，前記光学要素を視界から外れるように折り曲げることができる。また，前記リンク要素により眼鏡レンズの前にある前記光学要素の位置を調節できる。
【００２６】
図１４は，眼鏡フレーム前部７００に前記デバイスを再装着自由に取り付ける一つの方法を示す。ポイント７１０でヒンジ止めされ，引っ張りスプリング７０３により互いに引っ張られているクランプ装置７０１が眼鏡レンズの下方の前記フレーム前部の下部に取り付けられている。前記クランプは，前記フレームの曲率に類似した態様の形状をしていて，前記クランプと前記フレーム前部との間の接触領域が増えるようになっている。小さなハンドル７２０が設けられており，スプリング７０３に力を作用させて前記クランプをゆるめるようになっている。前記クランプ７０１には，既に述べたディスプレイデバイスのハウジング９０が取り付けられている。光学リレー２６が使用者の主視界に達していて，イメージを与えるようになる。見やすい位置に前記イメージを位置させるためには，前記した調節及びピボットのいずれかを行うことができる。
【００２７】
置換できる実施例には，種々の形態のアイピース，照明光学要素及び装着取付具が含まれる。互いに協力して動作する二つのディスプレイデバイスで，眼鏡の二つのレンズのそれぞれの前に一つのデバイスがあるものも，所望に応じて使用でき，双眼鏡ディスプレイにすることもできる。
【００２８】
この発明は，添付の特許請求の範囲に示されたものを除いて，特に図示され，記載されたものにより限定されるべきものではない。
【図面の簡単な説明】
この発明は，添付の図面との関連で記載した記述からさらによく理解されるもので，図面において：
【図１】    この発明による対になっている眼鏡フレームへ装着したディプレイデバイスの平面図。
【図２】    図１のディスプレイデバイスの平面図。
【図３】    図１のディスプレイデバイスのイメージングアッセンブリーと光学要素の平面図。
【図４】    図１のディスプレイデバイスのハウジングアッセンブリーの分解図。
【図５】    図４のハウジングアッセンブリーの断面図。
【図６】    図１のディスプレイデバイスの断面図。
【図６Ａ】  図６の６−６線にそう断面図。
【図７】    スイベル取付具を用いるディスプレイデバイスの別の実施例の平面図。
【図８】    図７のディスプレイデバイスの平面図。
【図９】    光学要素の別の実施例の平面図。
【図１０】  グレーデッドインデックスレンズを用いるディスプレイデバイスの別の実施例の平面図。
【図１１】  置換できる光路及び光学要素を示すディスプレイデバイスのさらに別の実施例の平面図。
【図１２】  リンク要素を使用するディスプレイデバイスの別の実施例の平面図。
【図１３】  図１２のディスプレイデバイスの平面図。
【図１４】  眼鏡フレームの下縁外側にそい装着するディスプレイデバイスの別の実施例の側面図。
【図１５】  回転調節機構を有する別の実施例の平面図。
【図１】
0003871188.tif 000002
【図２】
0003871188.tif 000003
【図３】
0003871188.tif 000004
【図４】
0003871188.tif 000005
【図５】
0003871188.tif 000006
【図６】
0003871188.tif 000007
【図６ａ】
0003871188.tif 000008
【図７】
0003871188.tif 000009
【図８】
0003871188.tif 000010
【図９】
0003871188.tif 000011
【図１０】
0003871188.tif 000012
【図１１】
0003871188.tif 000013
【図１２】
0003871188.tif 000014
【図１３】
0003871188.tif 000015
【図１４】
0003871188.tif 000016
【図１５】
0003871188.tif 000017